(57)【要約】【課題】強度を確保しつつ、スリムなデザインの框体を備えた障子及び建具を提供する。【解決手段】建具は、四方枠状に形成された框体と、框体の内部に設けられたパネル材２９と、を備え、框体は、樹脂製の樹脂部材３０と、樹脂部材３０に内包され、樹脂部材３０と一体に構成された芯材４１，４２と、を有し、芯材４１，４２は、板状に形成され、板面４１ａ，４２ｂが見付け面に沿うように配置され、芯材４１，４２は、板状に形成され、板面４１ａ，４２ｂが見付け面に沿うように配置されていることを特徴とする。【選択図】図３
2020193455.tif 000002
【特許請求の範囲】
【請求項１】
四方枠状に形成された框体を備え、
該框体は、
樹脂製の樹脂部材と、
該樹脂部材に内包され、該樹脂部材と一体に構成された芯材と、を有することを特徴とする障子。
【請求項２】
前記芯材は、板状に形成され、板面が見付け面に沿うように配置されている請求項１に記載の障子。
【請求項３】
前記框体の内部に設けられたパネル材を備え、
前記芯材における見付け方向の内側の端部は、前記パネル材と重なって配置されている請求項１または２に記載の障子。
【請求項４】
前記芯材は、金属製である請求項１から３のいずれか一項に記載の障子。
【請求項５】
四方枠状に形成された枠体と、
該枠体の内部に設けられた請求項１から４のいずれか一項に記載の障子と、を備え、
複数枚の前記障子が前記枠体の内部で幅方向にスライド可能とされ、
前記芯材は、前記障子の召合せ部分に配置されていることを特徴とする建具。
【発明の詳細な説明】
【技術分野】
【０００１】
本発明は、障子及び建具に関するものである。
【背景技術】
【０００２】
従来から、建具の障子として、四方枠状に組まれた框体が組まれ、その内側にガラスが設けられたものが知られている。例えば下記の特許文献１では、上框、下框及び縦框等の框が樹脂製で中空状に形成され、その内部に金属製の断面コ字状や矩形状をなす補強材が設けられている。
【先行技術文献】
【特許文献】
【０００３】
【特許文献１】特開２０１９−５２５３６号公報
【発明の概要】
【発明が解決しようとする課題】
【０００４】
しかしながら、特許文献１のように、樹脂製の框の内部に、断面コ字状や矩形状に形成された補強材が配置された構成では、框の見付け方向の幅が大きくなり、デザイン性が劣るという問題点がある。
【０００５】
そこで、本発明は、上記事情に鑑みてなされたものであり、強度を確保しつつ、スリムなデザインの框体を備えた障子及び建具を提供する。
【課題を解決するための手段】
【０００６】
上記目的を達成するために、本発明は以下の手段を採用している。
すなわち、本発明に係る障子では、四方枠状に形成された框体を備え、該框体は、樹脂製の樹脂部材と、樹脂部材に内包され、該樹脂部材と一体に構成された芯材と、を有することを特徴とする。
【０００７】
また、本発明に係る建具は、四方枠状に形成された枠体と、該枠体の内部に設けられた上記の障子と、を備え、複数枚の前記障子が前記枠体の内部で幅方向にスライド可能とされ、前記芯材は、前記障子の召合せ部分に配置されていることを特徴とする。
【図面の簡単な説明】
【０００８】
【図１】本発明の一実施形態に係る建具を屋内側から見た正面図である。
【図２】本発明の一実施形態に係る建具の水平断面図である。
【図３】本発明の一実施形態に係る障子の下框部分を示す断面図である。
【発明を実施するための形態】
【０００９】
以下、本発明の一実施形態に係る建具の一例である引違いサッシについて、図１から図３に基づいて説明する。
図１は、本発明の一実施形態に係る建具を屋内側から見た正面図である。
図１に示すように、引違いサッシ１００は、建築物の開口部Ｗに設けられている。引違いサッシ１００は、四方枠状に形成された枠体１と、枠体１の内部に設けられた２枚の障子２と、を備えている。
以下の説明において、屋外側と屋内側とを結ぶ方向を屋内外方向と称する。また、屋内外方向と直交する方向を見付け方向と称する。見付け方向のうち、水平方向に沿う方向を幅方向と称し、鉛直方向を上下方向と称する。また、見付け方向において、引違いサッシ１００の中央側に向かう方向を内側と称し、引違いサッシ１００の端部側に向かう方向を外側と称する。
【００１０】
枠体１は、上下方向に延びる一対の縦枠１１と、幅方向に延びる上枠１２及び下枠１３と、を有している。上枠１２は、一対の縦枠１１の上端部を連結している。下枠１３は、一対の縦枠１１の下端部を連結している。本実施形態では、枠体１は、樹脂材料で構成されている。
【００１１】
図２は、本発明の一実施形態に係る引違いサッシ１００の水平断面図である。
図２に示すように、２枚の障子２は、幅方向にスライド可能に設けられている。両障子２は、閉じた状態で、枠体１内を閉塞するように配置されている。本実施形態では、障子２が２枚設けられているが、３枚以上の障子２が設けられていてもよい。
【００１２】
図１に示すように、各障子２は、四方枠状に形成された框体２０と、框体２０の内部に納められたガラス（パネル材）２９と、を有している。なお、パネル材は、樹脂でパネル状に形成された部材等であってもよい。
【００１３】
框体２０は、上下方向に延在する一対の縦框２１と、幅方向に延びる上框２２及び下框２３と、を有している。一対の縦框２１のうち、戸先側に配置される縦框２１が戸先框２１Ａとされ、戸先側と反対側（召合せ部分）に配置される縦框２１が召合せ框２１Ｂとされている。上框２２は、一対の縦框２１の上端部を連結している。下框２３は、一対の縦框２１の下端部を連結している。
以下の説明において、縦框２１、上框２２及び下框２３を、それぞれ框３と称することがある。
【００１４】
次に、框３の構成について説明する。
図３は、障子２の下框２３部分を示す断面図であり、屋内外方向に沿う鉛直断面図である。以下では、框３の構成として、図３を用いて、下框２３部分を説明する。
図３に示すように、框３は、樹脂框体（樹脂部材）３０と、屋外側補強部（芯材）４１と、屋内側補強部（芯材）４２と、を有している。
【００１５】
樹脂框体３０は、樹脂材料で構成されている。樹脂框体３０は、屋外側第一板部３１と、屋外側第二板部３２と、屋内側第一板部３３と、屋内側第二板部３４と、屋外側上部板部３５と、屋内側上部板部３６と、端部板部３７と、連結板部３８と、を有している。
【００１６】
屋外側第一板部３１は、ガラス２９よりも屋外側に配置されている。屋外側第二板部３２は、ガラス２９よりも屋外側且つ屋外側第一板部３１よりも屋内側に配置されている。
【００１７】
屋外側第一板部３１及び屋外側第二板部３２は、板状に形成されている。屋外側第一板部３１及び屋外側第二板部３２は、板厚方向を屋内外方向に向けて配置されている。
【００１８】
屋外側第一板部３１及び屋外側第二板部３２は、屋内外方向から見て、ガラス２９と重なって配置されている。換言すると、屋外側第一板部３１の上端部３１ｕ及び屋外側第二板部３２の上端部３２ｕは、ガラス２９の下端部２９ｄよりも上方に配置されている。屋外側第一板部３１の下端部３１ｄ及び屋外側第二板部３２の下端部３２ｄは、ガラス２９の下端部２９ｄよりも下方に配置されている。
【００１９】
屋内側第一板部３３は、ガラス２９よりも屋内側に配置されている。屋内側第二板部３４は、ガラス２９よりも屋内側且つ屋内側第一板部３３よりも屋外側に配置されている。
【００２０】
屋内側第一板部３３及び屋内側第二板部３４は、板状に形成されている。屋内側第一板部３３及び屋内側第二板部３４は、板厚方向を屋内外方向に向けて配置されている。
【００２１】
屋内側第一板部３３及び屋内側第二板部３４は、屋内外方向から見て、ガラス２９と重なって配置されている。換言すると、屋内側第一板部３３の上端部３３ｕ及び屋内側第二板部３４の上端部３４ｕは、ガラス２９の下端部２９ｄよりも上方に配置されている。屋内側第一板部３３の下端部３３ｄ及び屋内側第二板部３４の下端部３４ｄは、ガラス２９の下端部２９ｄよりも下方に配置されている。
【００２２】
屋外側上部板部３５は、屋外側第一板部３１の上端部３１ｕと屋外側第二板部３２の上端部３２ｕとを連結している。屋外側上部板部３５は、板状に形成されている。屋外側上部板部３５は、板厚方向を上下方向に向けて配置されている。
【００２３】
屋内側上部板部３６は、屋内側第一板部３３の上端部３３ｕと屋内側第二板部３４の上端部３４ｕとを連結している。屋内側上部板部３６は、板状に形成されている。屋内側上部板部３６は、板厚方向を上下方向に向けて配置されている。
【００２４】
端部板部３７は、屋外側第一板部３１の下端部３１ｄと屋外側第二板部３２の下端部３２ｄと屋内側第二板部３４の下端部３４ｄと屋内側第一板部３３の下端部３３ｄとを連結している。端部板部３７は、板状に形成されている。端部板部３７は、板厚方向を上下方向に向けて配置されている。
【００２５】
連結板部３８は、端部板部３７よりも上方に配置されている。連結板部３８は、屋外側第二板部３２の下部と屋内側第二板部３４の下部とを連結している。連結板部３８は、板状に形成されている。連結板部３８は、板厚方向を上下方向に向けて配置されている。
【００２６】
屋外側第一板部３１、屋外側第二板部３２、屋外側上部板部３５及び端部板部３７の屋外側の部分により、屋内外方向に沿う鉛直断面視で矩形状をなす屋外側框部３ａが形成されている。屋外側框部３ａの内部には、屋外側補強部４１が設けられている。
【００２７】
屋内側第一板部３３、屋内側第二板部３４、屋内側上部板部３６及び端部板部３７の屋内側の部分により、屋内外方向に沿う鉛直断面視で矩形状をなす屋内側框部３ｂが形成されている。屋内側框部３ｂの内部には、屋内側補強部４２が設けられている。
【００２８】
屋外側補強部４１及び屋内側補強部４２は、板状に形成されている。屋外側補強部４１及び屋内側補強部４２は、板厚方向を屋内外方向に向けて、換言すると板面４１ａ，４２ｂが見付け面（見付け方向に沿う面）に沿うように配置されている。本実施形態では、屋外側補強部４１及び屋内側補強部４２は、アルミニウム等の金属材料で構成されている。なお、屋外側補強部４１及び屋内側補強部４２は、カーボンファイバーやガラスファイバー等の繊維やそれらの繊維強化樹脂材料で構成されていてもよい。
【００２９】
屋外側補強部４１及び屋内側補強部４２は、下框２３の延在方向の略全長にわたって設けられている。なお、屋外側補強部４１及び屋内側補強部４２は、下框２３の延在方向に沿って、断続的に分断されて配置されていてもよい。
【００３０】
屋外側補強部４１及び屋内側補強部４２は、屋内外方向から見て、ガラス２９と重なって配置されている。換言すると、屋外側補強部４１の上端部（見付け方向の内側の端部）４１ｕ及び屋内側補強部４２の上端部（見付け方向の内側の端部）４２ｕは、ガラス２９の下端部２９ｄよりも上方に配置されている。屋外側補強部４１の下端部４１ｄ及び屋内側補強部４２の下端部４２ｄは、ガラス２９の下端部２９ｄよりも下方に配置されている。
【００３１】
屋外側補強部４１は、屋外側框部３ａに内包され、屋外側框部３ａと不図示の接着剤等で接合されて一体に構成されている。屋内側補強部４２は、屋内側框部３ｂに内包され、屋内側框部３ｂと不図示の接着剤等で接合されて一体に構成されている。例えば、樹脂框体３０が押出成形で成形される際に、金型の内部に金属製の屋外側補強部４１及び屋内側補強部４２が配置され、屋外側補強部４１及び屋内側補強部４２を覆うように樹脂材が配置され、樹脂框体３０が屋外側補強部４１及び屋内側補強部４２を包み込むように成形されている。また、屋外側補強部４１及び屋内側補強部４２は、屋外側框部３ａ及び屋内側框部３ｂとそれぞれ２ＭＰａ以上のせん断強度で密着されていることが好ましい。
【００３２】
上框２２は下框２３を上下反転させたものと同様であり、縦框２１は下框２３を見付け面に沿って９０度回転させたものと同様であり、それぞれ説明を省略する。縦框２１においては、屋外側補強部４１及び屋内側補強部４２が戸先框２１Ａ及び召合せ框２１Ｂの両方に設けられていてもよいし、屋外側補強部４１及び屋内側補強部４２が召合せ框２１Ｂにのみに設けられていてもよい。
【００３３】
連結板部３８、端部板部３７、屋外側第二板部３２の下部及び屋内側第二板部３４の下部により、中空部ｓ１が形成されている。
【００３４】
連結板部３８の上側（見付け方向の内側）には、ガラス２９を支持するゴム等の弾性材からなる支持部材４６が設けられている。
【００３５】
屋外側第二板部３２の上端部３２ｕ及び屋内側第二板部３４の上端部３４ｕには、ガラス２９を押圧するゴム等の弾性材からなるヒレ部４７が設けられている。
【００３６】
このように構成された引違いサッシ１００では、屋外側補強部４１及び屋内側補強部４２が樹脂框体３０に内包され樹脂框体３０に接合されて一体に構成されることで、框体２０の強度が確保されている。よって、従来のように、断面コ字状や矩形状等の断面が立体的な芯材を設けて框体の剛性を高める必要がなく、断面形状を抑えた屋外側補強部４１及び屋内側補強部４２を用いることができる。したがって、框体２０の強度を確保しつつ、框体２０をスリムなデザインとすることができる。
【００３７】
また、屋外側補強部４１及び屋内側補強部４２の板面４１ａ，４２ｂが見付け面に沿って配置されているため、屋外側補強部４１及び屋内側補強部４２における風圧（屋内外方向の圧力）を受ける部分の面積（見付け面）を大きく確保することができる。よって、耐風圧に対する強度を高めることができる。また、従来のように、ガラス２９の外側（延在方向の外側であって、例えば下框２３ならばガラス２９の下方）に必ずしも芯材を設ける必要がないため、框体２０の幅（見付け面に沿う長さ）ｅ（図３参照）を小さくしてスリムなデザインとすることができる。
【００３８】
また、屋外側補強部４１及び屋内側補強部４２の上端部４１ｕ，４２ｕはガラス２９と重なって配置されているため、ガラス２９が受ける風圧を屋外側補強部４１及び屋内側補強部４２でも確実に抗することができる。よって、耐風圧に対する強度を一層高めることができる。
【００３９】
また、屋外側補強部４１及び屋内側補強部４２は金属製であるため、框体２０の強度を確実に確保することができる。
【００４０】
また、風圧が大きく作用する召合せ框２１Ｂ（召合せ部分）に屋外側補強部４１及び屋内側補強部４２が設けられているため、召合せ框２１Ｂが変形したりすることが抑制される。
【００４１】
また、連結板部３８、端部板部３７、屋外側第二板部３２の下部及び屋内側第二板部３４の下部により、中空部ｓ１が形成されている。框体２０の変形を中空部ｓ１で吸収することができるとともに、中空部ｓ１により断熱性を高めることができる。
【００４２】
なお、上述した実施の形態において示した各構成部材の諸形状や組み合わせ等は一例であって、本発明の主旨から逸脱しない範囲において設計要求等に基づき種々変更可能である。
【００４３】
例えば、上記に示す実施形態では、屋外側補強部４１及び屋内側補強部４２の板面４１ａ，４２ｂが見付け面に沿って配置されているが、本発明はこれに限られない。芯材の板面４１ａ，４２ｂが見込み面（見付け面に直交する面）に沿って配置されていてもよい。具体的には、板面が下框２３の下端部に水平面に沿うように芯材が配置されていたり、板面が上框２２の上端部に水平面に沿うように芯材が配置されていたり、板面が縦框２１の幅方向の端部に屋内外方向に沿う鉛直面に沿うように芯材が配置されていてもよい。
【００４４】
また、上記に示す実施形態では、屋外側補強部４１及び屋内側補強部４２の上端部４１ｕ，４２ｕはガラス２９と重なって配置されているが、本発明はこれに限られない。芯材における見付け方向の内側の端部がパネル材と重なって配置されていなくてもよい。例えば、下框２３において屋外側補強部４１及び屋内側補強部４２の上端部４１ｕ，４２ｕがガラス２９の下端部２９ｄよりも下方に配置されていてもよい。
【００４５】
また、上記に示す実施形態では、芯材として、ガラス２９を挟んで屋内外方向の両側に屋外側補強部４１及び屋内側補強部４２が配置されているが、本発明はこれに限られない。芯材が、パネル材の屋内側及び屋外側のいずれか一方にのみ配置されていてもよい。召合せ框２１Ｂにおいて、各障子２の屋内外方向の一方側にのみ芯材が設けられるのであれば、芯材が外障子（屋外側の障子）２Ａでは屋外側の部分２１ｃ及び内障子（屋内側の障子）２Ｂでは屋内側２１ｄに設けられることが、耐風圧上好ましい（図２参照）。
【００４６】
また、上記に示す実施形態では、屋外側框部３ａ及び屋内側框部３ｂは、それぞれ屋外側補強部４１及び屋内側補強部４２の全ての面を覆うように内包しているが、本発明はこれに限られない。樹脂部材が芯材を内包する構成は、芯材の一面が露出しつつ芯材の他の面を覆う形態や、芯材の一部が露出しつつ芯材の残りの部分を覆う形態等であってもよい。
【００４７】
また、屋外側框部３ａ及び屋内側框部３ｂを構成する樹脂としては、熱可塑性樹脂が好ましく、塩化ビニル系樹脂、塩素化ポリエチレン、ポリスチレン、ポリプロピレン、ＡＢＳ、ＡＥＳ等が挙げられ、成形がし易く曲げ剛性や耐久性を有した建具に好適な塩化ビニル系樹脂が特に好ましい。
【００４８】
また、上記に示す実施形態では、引違いサッシを例に挙げて説明したが、本発明はこれに限られず、片引き戸、框ドア等他のサッシにも適用可能である。
【符号の説明】
【００４９】
１…枠体
２…障子
３…框
３ａ…屋外側框部
３ｂ…屋内側框部
１１…縦枠
１２…上枠
１３…下枠
２０…框体
２１…縦框
２２…上框
２３…下框
２９…ガラス（パネル材）
３０…樹脂框体（樹脂部材）
４１…屋外側補強部（芯材）
４１ａ，４２ｂ…板面
４２…屋内側補強部（芯材）
１００…引違いサッシ
【図１】
2020193455.tif 000003
【図２】
2020193455.tif 000004
【図３】
2020193455.tif 000005